(57)【要約】【課題】医療機関間の連携を把握することができる情報マップを生成する。【解決手段】第一の医療機関及び第二の医療機関を含む複数の医療機関を表示する情報マップを生成するプログラムであって、算出部３２が、第一の医療機関から第二の医療機関への医師の派遣数に基づいて、医療機関同士の関連の強さを算出する。生成部３３が、算出した関連の強さに応じた表示属性を持った関係線を介して、医療機関同士を接続するように情報マップに表示する。【選択図】図７
2018037113.tif 000002
【特許請求の範囲】
【請求項１】
第一の医療機関及び第二の医療機関を含む複数の医療機関を表示する情報マップを生成するプログラムであって、
前記第一の医療機関から前記第二の医療機関への医師の派遣数に基づいて、前記医療機関同士の関連の強さを算出し、
算出した前記関連の強さに応じた表示属性を持った関係線を介して、前記医療機関同士を接続するように前記情報マップに表示する
処理をコンピュータに実行させる情報マップ生成プログラム。
【請求項２】
対象地域に含まれる医療機関同士の関連の強さを算出し、
前記対象地域の前記情報マップを生成する
処理を前記コンピュータに実行させる請求項１記載の情報マップ生成プログラム。
【請求項３】
疾病毎の前記関連の強さを算出し、
前記疾病毎に、前記情報マップを生成する
処理を前記コンピュータに実行させる請求項１又は請求項２記載の情報マップ生成プログラム。
【請求項４】
前記関連の強さを、前記関係線の幅、色、濃淡、及び種類の少なくとも１つを変化させることにより表すことを特徴とする請求項１乃至請求項３のいずれか１項記載の情報マップ生成プログラム。
【請求項５】
前記関連の強さは、さらに、前記第一の医療機関から前記第二の医療機関への紹介率、該第一の医療機関から該第二の医療機関への疾病毎の紹介患者数、該第一の医療機関から該第二の医療機関への検査機器毎の予約数の少なくとも一つに基づき、算出されることを特徴とする請求項１乃至４のいずれか一項に記載の情報マップ生成プログラム。
【請求項６】
第一の医療機関及び第二の医療機関を含む複数の医療機関を表示する情報マップを生成する装置であって、
前記第一の医療機関から前記第二の医療機関への医師の派遣数に基づいて、前記医療機関同士の関連の強さを算出する算出部と、
算出した前記関連の強さに応じた表示属性を持った関係線を介して、前記医療機関同士を接続するように前記情報マップに表示する生成部と、
を含む情報マップ生成装置。
【請求項７】
第一の医療機関及び第二の医療機関を含む複数の医療機関を表示する情報マップを生成する方法であって、
前記第一の医療機関から前記第二の医療機関への医師の派遣数に基づいて、前記医療機関同士の関連の強さを算出し、
算出した前記関連の強さに応じた表示属性を持った関係線を介して、前記医療機関同士を接続するように前記情報マップに表示する
処理をコンピュータが実行する情報マップ生成方法。
【発明の詳細な説明】
【技術分野】
【０００１】
本発明は、情報マップ生成プログラム、情報マップ生成装置、及び情報マップ生成方法に関する。
【背景技術】
【０００２】
近年、医療費削減を目指して、医療機関における役割を分担することが国策として進められている。このための施策の一つとして、医療の質の向上や医療費の適正化を目的として、地域医療を活性化させ、効率的な医療を発展させるべく、地域の医療機関が連携する地域医療連携が進められている。
【０００３】
地域医療連携によって、地域の医療機関各々の施設の実情や地域の医療状況に応じて、地域内での医療の機能分担や専門化を進められる。例えば、診療所と診療所、診療所と病院、または病院と病院とが相互に円滑な連携を図り、各々の有する機能を有効に活用することにより、その地域の住民が、その地域において、継続性のある適切な医療を受けられるようになる。
【０００４】
また、医療機関における電子カルテ等の様々な電子データを、医師や事務担当者が容易に操作でき、自由な切り口で情報解析を行うことができる医療情報処理システムが提供されている。このシステムでは、医療情報管理サーバに蓄積された複数の医療情報の中から所望の項目を抽出し、抽出した項目を相互に連結して二次情報を生成している。そして、ユーザ端末装置に、二次医療情報を個別具体的に表示している。
【先行技術文献】
【特許文献】
【０００５】
【特許文献１】特開２０１２−１７７９７６号公報
【発明の概要】
【発明が解決しようとする課題】
【０００６】
しかしながら、上記のような従来技術では、医療機関間の連携の程度を把握することができないため、地域医療連携の進捗を把握することができない、という問題がある。
【０００７】
本発明は、一つの側面として、医療機関間の連携を把握することができる情報マップを生成することが目的である。
【課題を解決するための手段】
【０００８】
１つの態様では、第一の医療機関及び第二の医療機関を含む複数の医療機関を表示する情報マップを生成する。前記第一の医療機関から前記第二の医療機関への医師の派遣数に基づいて、前記医療機関同士の関連の強さを算出する。そして、算出した前記関連の強さに応じた表示属性を持った関係線を介して、前記医療機関同士を接続するように前記情報マップに表示する。
【発明の効果】
【０００９】
一つの側面として、医療機関間の連携を把握することができる情報マップを生成することができる、という効果を有する。
【図面の簡単な説明】
【００１０】
【図１】本実施形態に係る医療機関連携マップ生成システムの概略構成を示すブロック図である。
【図２】医療機関連携マップ生成装置の概略構成を示す機能ブロック図である。
【図３】連携情報データベースの一例を示す図である。
【図４】連携の強さの算出結果の一例を示す図である。
【図５】医療機関情報データベースの一例を示す図である。
【図６】連携マップの生成を説明するための図である。
【図７】連携マップの生成を説明するための図である。
【図８】連携マップの一例を示す図である。
【図９】連携マップの一例を示す図である。
【図１０】医療機関連携マップ生成装置として機能するコンピュータの一例を示す概略ブロック図である。
【図１１】医療機関連携マップ生成処理を示すフローチャートである。
【図１２】連携マップの一例を示す図である。
【発明を実施するための形態】
【００１１】
以下、図面を参照して開示の技術に係る実施形態の一例を詳細に説明する。
【００１２】
図１に示すように、本実施形態に係る医療機関連携マップ生成システム１０は、複数の医療機関端末２０Ａ、２０Ｂ、・・・、２０Ｅ、２０Ｆ、・・・、医療機関連携マップ生成装置３０、及びユーザ端末４０を含む。なお、医療機関連携マップ生成装置３０は、開示の技術の情報マップ生成装置の一例である。また、以下では、医療機関端末２０Ａ、２０Ｂ、・・・、２０Ｅ、２０Ｆ、・・・を区別なく説明する場合には、単に「医療機関端末２０」と表記する。
【００１３】
医療機関端末２０は、医療機関毎に配置される端末である。医療機関端末２０は、その医療機関端末２０が配置された医療機関が属する地域に応じて、グループ分けされている。図１の例では、医療機関端末２０Ａ、２０Ｂ、・・・がグループ２１Ａに属しており、医療機関端末２０Ｅ、２０Ｆ、・・・がグループ２１Ｂに属している。すなわち、医療機関端末２０Ａ、２０Ｂ、・・・が配置された医療機関の各々は、同一の地域（例えば地域Ａ）に属していることを表す。また、医療機関端末２０Ｅ、２０Ｆ、・・・が配置された医療機関の各々は、同一の地域（例えば地域Ｂ）に属していることを表す。なお、以下では、グループ２１Ａ、２１Ｂを区別なく説明する場合には、単に「グループ２１」と表記する。
【００１４】
ここで、医療機関間の連携及び連携情報について説明する。医療機関の各々は、互いに連携をとって業務を行う場合がある。例えば、医療機関Ａから医療機関Ｂに患者を紹介する場合、医療機関Ａが有する医療設備を医療機関Ｂの患者が利用する場合などがある。また、医療機関Ａの医師が、医療機関Ｂに派遣される場合などもある。さらに、医療機関Ａのウェブカルテを、医療機関Ｂから参照する場合もある。このように、医療機関が有する患者、医師、設備、情報等の資源を互いにやり取りすることを、本実施形態では、「医療機関間の連携」という。
【００１５】
上記のような医療機関間での連携には、各医療機関に配置された医療機関端末２０が用いられる。例えば、医療機関Ａから医療機関Ｂに患者を紹介する場合には、医療機関Ａに配置された医療機関端末２０Ａから、医療機関Ｂに配置された医療機関端末２０Ｂへ、紹介状を示す電子データを送信する。また、医療機関端末２０Ｂからは、紹介状に対する返書を示す電子データが医療機関端末２０Ａに送信される。これらの電子データ、または電子データを送受信した履歴情報が、患者の紹介という連携を示す連携情報となる。医療機関端末２０は、医療機関間の連携が行われる毎に発生する連携情報を、所定の記録領域に保持しておく。
【００１６】
また、医療機関Ａが有する医療設備を医療機関Ｂの患者が利用する場合、医療機関Ｂに配置された医療機関端末２０Ｂから医療機関端末２０Ａにアクセスして、医療機関端末２０Ａが配置された医療機関Ａの医療設備を予約する。この場合、この予約情報を連携情報とすることができる。また、医師の派遣についても、その情報を医療機関端末２０に登録することにより、連携情報として扱うことができる。ウェブカルテの参照では、その参照履歴を連携情報として扱うことができる。
【００１７】
連携情報は、少なくとも、連携元及び連携先の医療機関を識別する情報を含む。また、連携情報は、その連携情報が示す連携により行われた行為に関連する疾病の情報を含んでもよい。疾病の情報を含むことにより、後述の連携マップ生成の際に、疾病の種類毎の連携マップを生成することができる。なお、連携マップは、開示の技術の情報マップの一例である。
【００１８】
少なくとも同一グループ２１に属する医療機関端末２０同士は、ネットワークを介して互いに接続されている。また、医療機関端末２０の各々は、医療機関連携マップ生成装置３０ともネットワークを介して接続されている。医療機関端末２０は、所定のタイミングで、自端末が保持する連携情報を医療機関連携マップ生成装置３０へ転送する。
【００１９】
なお、各グループ２１に属する医療機関端末２０の少なくとも１つを、グループに属する全ての医療機関端末２０が保持する連携情報を集約する管理装置として機能させてもよい。また、医療機関端末２０とは別に、グループ毎に専用の管理装置を設けてもよい。いずれの場合でも、グループ２１内に管理装置を設けた場合には、管理装置が、グループ２１に属する各医療機関端末２０が保持する連携情報を集約して、医療機関連携マップ生成装置３０へ転送する。
【００２０】
ユーザ端末４０は、ユーザが使用する端末である。ユーザは、例えば国や医師会など、地域医療連携のための対策を講じる機関が想定される。ユーザ端末４０には、ウェブブラウザが搭載されている。また、ユーザ端末４０には、表示装置が接続されている。ユーザはウェブブラウザを介して、医療機関連携マップ生成装置３０にアクセスし、所望の連携マップの生成を要求する。そして、ユーザ端末４０は、医療機関連携マップ生成装置３０から送信された連携マップを示すデータを受信し、受信した連携マップを示すデータに基づく連携マップを、表示装置に表示する。
【００２１】
医療機関連携マップ生成装置３０は、図２に示すように、取得部３１、算出部３２、及び生成部３３を備える。
【００２２】
取得部３１は、複数の医療機関端末２０の各々から、連携情報を取得する。また、取得部３１は、連携マップを生成する対象地域を特定して、その対象地域に対応したグループ２１に属する医療機関端末２０から連携情報を取得する。または、取得部３１は、全ての医療機関端末２０から転送されてきた連携情報のうち、対象地域に対応したグループ２１に属する医療機関端末２０から転送されてきた連携情報を選択して取得してもよい。
【００２３】
取得部３１は、取得した連携情報を、連携情報データベース（ＤＢ）３５に格納する。図３に、連携情報ＤＢ３５の一例を示す。図３は、連携情報として、医療機関間における患者の紹介を示す連携情報が連携情報ＤＢ３５に格納された例である。図３の例では、連携情報ＤＢ３５は、各連携情報の識別子である連携情報ＩＤ、紹介元医療機関の情報、紹介先医療機関の情報、及び対象疾病の情報を含む。医療機関の情報は、各医療機関の識別子である医療機関ＩＤ及び各医療機関の名称とすることができる。医療機関ＩＤ及び名称は、連携情報をやり取りする医療機関端末２０の識別情報と対応付けておくことにより、取得することができる。また、対象疾病の情報は、疾病の種類の識別子である疾病ＩＤ及び疾病名とすることができる。
【００２４】
算出部３２は、取得部３１により取得された所定期間分の連携情報から、医療機関間毎の連携情報の頻度を求める。算出部３２は、求めた医療機関間毎の連携情報の頻度に基づいて、複数の医療機関の各々の間の連携の強さを算出する。図４に、連携の強さの算出結果の一例を示す。図４の例では、対象地域に含まれる医療機関において想定される全ての医療機関のペア毎に、ペア間での連携情報のやり取りの頻度を、そのまま連携の強さとしている。また、連携情報に疾病の情報も含まれる場合には、図４に示すように、医療機関のペア間においてやり取りされた連携情報を、疾病の種類毎にカウントして、疾病の種類毎に医療機関間の連携の強さを算出してもよい。
【００２５】
生成部３３は、複数の医療機関の各々を示すノードを含み、算出部３２により算出された医療機関間の連携の強さに応じた強弱を表す表示で、ノード間を接続した連携マップを生成する。具体的には、生成部３３は、各医療機関を示すノードをマップ上にプロットするためのマップ上座標を、例えば図５に示すような医療機関情報ＤＢ３６を参照して取得する。
【００２６】
生成部３３は、例えば図６に示すように、取得したマップ上座標が示すマップ上の位置に、各医療機関を示すノードをプロットする。なお、図６の例では、病院を示すノードは四角形のノードで表し、診療所を示すノードは楕円のノードで表している。これは、医療機関情報ＤＢ３６に、各医療機関の属性情報として、医療機関の種別（ここでは、病院または診療所）を定めておき、この属性情報を参照することにより設定することができる。
【００２７】
生成部３３は、図７に示すように、医療機関間の連携の強さに応じた太さ（幅）の線で、医療機関のペアを示すノード間を接続する。線の太さは、連携の強さに比例した太さとしてもよいし、連携の強さを複数段階（例えば５段階）に区分し、段階に応じて定めた太さとしてもよい。
【００２８】
なお、図７の例では、連携の強さを線の太さで表しているが、これに限定されない。例えば、線の色、濃淡、種類等を変化させて、連携の強弱を表してもよい。また、線の太さ、色、濃淡、種類を適宜組み合わせて変化させてもよい。さらに、ノード間を接続する表示は線に限定されない。例えば、鎖や握手している人の手などを表したイラストとしてもよい。この場合、鎖の種類や握手の仕方などを変更することで、連携の強さを表すことができる。
【００２９】
生成部３３は、生成した連携マップを示すデータをユーザ端末４０へ送信する。また、生成部３３は、ユーザ端末４０から対象地域の変更、対象疾病の選択等の情報を受け付けた場合には、受け付けた情報に応じて、再度連携マップを生成し、生成した連携マップを示すデータをユーザ端末４０へ送信する。また、生成部３３は、１度に複数の連携マップを生成してもよい。例えば、複数の地域に対応する複数のグループに属する医療機関端末２０から取得した連携情報に基づいて、地域毎に、複数の連携マップを生成することができる。また、図４に示すように、疾病の種類毎に算出した医療機関間の連携の強さに基づいて、疾病の種類毎に、複数の連携マップを生成することもできる。そして、生成部３３は、生成した複数の連携マップを示すデータの各々を、要求したユーザ端末４０へ送信する。
【００３０】
例えば、ユーザ端末４０から、地域Ａ及び地域Ｂの各々を対象地域として指定した連携マップの生成が要求された場合に生成される連携マップの一例を、図８に示す。この場合、地域毎の連携マップを比較して、地域医療連携の進捗を直感的に把握することができる。また、ユーザ端末４０から、地域Ａを対象地域として指定し、かつ疾病の種類として糖尿病及び胃がんの各々を指定した連携マップの生成が要求された場合に生成される連携マップの一例を、図９に示す。この場合、疾病の種類毎の連携の強さを把握することができると共に、疾病の種類の相違による連携の強さの相違も把握することができる。
【００３１】
なお、複数の連携マップを表示する場合には、図８及び図９に示すように複数の連携マップを並べて表示する場合に限らず、ウインドウやタブ等の切り替えで、表示される連携マップが切り替わるような形態としてもよい。
【００３２】
医療機関連携マップ生成装置３０は、例えば図１０に示すコンピュータ５０で実現することができる。コンピュータ５０はＣＰＵ５２、メモリ５４、不揮発性の記憶部５６、入出力インターフェース（Ｉ／Ｆ）５７、及びネットワークＩ／Ｆ５８を備えている。ＣＰＵ５２、メモリ５４、記憶部５６、入出力Ｉ／Ｆ５７、及びネットワークＩ／Ｆ５８は、バス５９を介して互いに接続されている。
【００３３】
記憶部５６はＨＤＤ（Hard Disk Drive）やフラッシュメモリ等によって実現できる。記憶媒体としての記憶部５６には、コンピュータ５０を医療機関連携マップ生成装置３０として機能させるための医療機関連携マップ生成プログラム６０が記憶されている。また、記憶部５６は、連携情報記憶領域６５、及び医療機関情報記憶領域６６を有する。ＣＰＵ５２は、医療機関連携マップ生成プログラム６０を記憶部５６から読み出してメモリ５４に展開し、医療機関連携マップ生成プログラム６０が有するプロセスを順次実行する。なお、医療機関連携マップ生成プログラム６０は、開示の技術の情報マップ生成プログラムの一例である。
【００３４】
医療機関連携マップ生成プログラム６０は、取得プロセス６１、算出プロセス６２、及び生成プロセス６３を有する。ＣＰＵ５２は、取得プロセス６１を実行することで、図２に示す取得部３１として動作する。また、ＣＰＵ５２は、算出プロセス６２を実行することで、図２に示す算出部３２として動作する。また、ＣＰＵ５２は、生成プロセス６３を実行することで、図２に示す生成部３３として動作する。
【００３５】
医療機関連携マップ生成装置３０がコンピュータ５０で実現される場合、連携情報記憶領域６５は、図２に示す連携情報ＤＢ３５を記憶する記憶領域として用いられる。また、医療機関情報記憶領域６６は、図２に示す医療機関情報ＤＢ３６を記憶する記憶領域として用いられる。これにより、医療機関連携マップ生成プログラム６０を実行したコンピュータ５０が、医療機関連携マップ生成装置３０として機能することになる。
【００３６】
なお、医療機関連携マップ生成装置３０は、例えば半導体集積回路、より詳しくはＡＳＩＣ（Application Specific Integrated Circuit）等で実現することも可能である。
【００３７】
また、医療機関端末２０及びユーザ端末４０は、ＣＰＵ、メモリ、記憶部、入出力Ｉ／Ｆ、及びネットワークＩ／Ｆを備えたコンピュータで実現することができる。また、医療機関端末２０及びユーザ端末４０は、例えば半導体集積回路、より詳しくはＡＳＩＣ等で実現することも可能である。
【００３８】
次に、本実施形態に係る医療機関連携マップ生成システム１０の作用について説明する。各医療機関に配置された医療機関端末２０では、医療機関間で行われた連携を示す連携情報を、所定の記憶領域に保持しておく。そして、ユーザが、ユーザ端末４０に搭載されたウェブブラウザを介して、医療機関連携マップ生成装置３０にアクセスし、所望の連携マップの生成を要求する。ユーザ端末４０からの要求を受けた医療機関連携マップ生成装置３０は、図１１に示す医療機関連携マップ生成処理を実行する。
【００３９】
図１１に示す医療機関連携マップ生成処理のステップＳ１０で、取得部３１が、対象地域に対応するグループ２１に含まれる医療機関端末２０の各々から、連携情報を取得する。そして、取得部３１は、取得した連携情報を、連携情報ＤＢ３５に格納する。
【００４０】
次に、ステップＳ１２で、算出部３２が、上記ステップＳ１０で連携情報ＤＢ３５に格納された所定期間分の連携情報から、対象地域に含まれる医療機関において想定される全ての医療機関のペア毎に、ペア間での連携情報のやり取りの頻度を求める。そして、算出部３２は、求めた連携情報の頻度に基づいて、医療機関間の連携の強さを算出する。連携情報に疾病の情報も含まれる場合には、疾病の種類毎の連携情報の頻度に基づいて、疾病の種類毎に医療機関間の連携の強さを算出してもよい。
【００４１】
次に、ステップＳ１４で、生成部３３が、対象地域に含まれる医療機関を示すノードをマップ上にプロットするためのマップ上座標を、医療機関情報ＤＢ３６を参照して取得する。そして、生成部３３は、取得したマップ上座標が示すマップ上の位置に、各医療機関を示すノードをプロットする。
【００４２】
次に、ステップＳ１６で、生成部３３が、医療機関のペアを示すノード間を、上記ステップＳ１２で算出された医療機関間の連携の強さに応じた太さ（幅）の線で接続することにより、連携マップを生成する。
【００４３】
次に、ステップＳ１８で、生成部３３が、生成した連携マップを示すデータをユーザ端末４０へ送信して、医療機関連携マップ生成処理を終了する。ユーザ端末４０では、受信した連携マップを示すデータに基づいて、表示装置に連携マップを表示する。
【００４４】
なお、上記の医療機関連携マップ生成処理では、ユーザからの要求を受けてから、医療機関端末２０で保持されている連携情報を取得する場合について説明したが、これに限定されない。例えば、取得部３１は、所定のタイミングで、医療機関端末２０から連携情報を随時取得して連携情報ＤＢ３５に格納しておくことができる。そして、医療機関連携マップ生成装置３０が、ユーザからの要求を受けたタイミングで、連携情報ＤＢ３５に格納された連携情報を読み出して、連携マップを生成するようにしてもよい。
【００４５】
以上説明したように、本実施形態に係る医療機関連携マップ生成システムによれば、医療機関連携マップ生成装置において、医療機関間の連携情報の頻度に基づいて、医療機関間の連携の強さを算出する。そして、医療機関連携マップ生成装置において、医療機関を示すノード間を、医療機関間の連携の強さに応じた強弱を表す表示で接続した連携マップを生成する。これにより、医療機関間の連携の程度を直感的に把握することができる。
【００４６】
また、対象地域に属する医療機関に配置された医療機関端末の連携情報を取得することにより、地域毎の連携マップを生成することができる。また、連携情報に疾病の情報を含めることで、疾病の種類毎の連携マップを生成することができる。これにより、地域住民にとって最適な地域医療連携を策定するためんみ有用な情報を提供することができる。また、例えば紹介患者のやり取りが少ない医療機関や、特定の疾病に対する連携体制が整っていない地域等を把握することができ、これらも地域医療連携の推進に有用な情報となる。
【００４７】
例えば、図８の例では、地域Ａに比べて地域Ｂの地域医療連携が進んでいないことを直感的に把握することができるため、国や医師会は、地域Ｂの地域医療連携の推進に力を入れるべきである、等の判断をすることができる。また、図９の例では、Ａ病院は胃がんに対する体制が整っており、Ｂ病院は糖尿病に対する体制が整っているが、Ｃ病院はいずれの疾病に対しても体制が整っていないことを直感的に把握することができる。これではＣ病院の近隣住民は不便であるため、国や医師会は、この地域における医療資源の最適化を行うべきである、等の判断をすることができる。
【００４８】
なお、上記実施形態では、医療機関間での患者の紹介を示す医療連携情報を一例に説明したが（例えば図３）、その他の医療連携情報を用いてもよい。また、複数種類の医療連携情報を用いてもよい。この場合、医療連携情報の種類毎に、医療機関間の連携の強さを算出することができる。そして、例えば図１２に示すように、特定の医療連携情報についての連携マップを生成することができる。なお、図１２の例では、ある医療機関の設備であるＭＲＩによる検査を、他の医療機関の患者が予約したことを示す医療連携情報に基づく連携マップである。
【００４９】
また、図１２に示すように、連携マップにおいて、ノードの接続に方向性を持たせてもよい。図１２の例では、矢印の始点側のノードが示す医療機関の患者が、矢印の終点側のノードを示す医療機関の設備であるＭＲＩによる検査を予約したことを示している。
【００５０】
また、上記では、医療機関連携マップ生成プログラム６０が記憶部５６に予め記憶（インストール）されている態様を説明したが、ＣＤ−ＲＯＭやＤＶＤ−ＲＯＭ等の記憶媒体に記録された形態で提供することも可能である。
【００５１】
以上の実施形態に関し、更に以下の付記を開示する。
【００５２】
（付記１）
第一の医療機関及び第二の医療機関を含む複数の医療機関を表示する情報マップを生成するプログラムであって、
前記第一の医療機関から前記第二の医療機関への医師の派遣数に基づいて、前記医療機関同士の関連の強さを算出し、
算出した前記関連の強さに応じた表示属性を持った関係線を介して、前記医療機関同士を接続するように前記情報マップに表示する
処理をコンピュータに実行させる情報マップ生成プログラム。
【００５３】
（付記２）
対象地域に含まれる医療機関同士の関連の強さを算出し、
前記対象地域の前記情報マップを生成する
処理を前記コンピュータに実行させる付記１記載の情報マップ生成プログラム。
【００５４】
（付記３）
疾病毎の前記関連の強さを算出し、
前記疾病毎に、前記情報マップを生成する
処理を前記コンピュータに実行させる付記１又は付記２記載の情報マップ生成プログラム。
【００５５】
（付記４）
前記関連の強さを、前記関係線の幅、色、濃淡、及び種類の少なくとも１つを変化させることにより表すことを特徴とする付記１乃至付記３のいずれか１項記載の情報マップ生成プログラム。
【００５６】
（付記５）
前記関連の強さは、さらに、前記第一の医療機関から前記第二の医療機関への紹介率、該第一の医療機関から該第二の医療機関への疾病毎の紹介患者数、該第一の医療機関から該第二の医療機関への検査機器毎の予約数の少なくとも一つに基づき、算出されることを特徴とする付記１乃至４のいずれか一項に記載の情報マップ生成プログラム。
【００５７】
（付記６）
第一の医療機関及び第二の医療機関を含む複数の医療機関を表示する情報マップを生成する装置であって、
前記第一の医療機関から前記第二の医療機関への医師の派遣数に基づいて、前記医療機関同士の関連の強さを算出する算出部と、
算出した前記関連の強さに応じた表示属性を持った関係線を介して、前記医療機関同士を接続するように前記情報マップに表示する生成部と、
を含む情報マップ生成装置。
【００５８】
（付記７）
前記算出部は、対象地域に含まれる医療機関同士の関連の強さを算出し、
前記生成部は、前記対象地域の前記情報マップを生成する
付記６記載の情報マップ生成装置。
【００５９】
（付記８）
前記算出部は、疾病毎の前記関連の強さを算出し、
前記生成部は、前記疾病毎に、前記情報マップを生成する
付記６又は付記７記載の情報マップ生成装置。
【００６０】
（付記９）
前記生成部は、前記関連の強さを、前記関係線の幅、色、濃淡、及び種類の少なくとも１つを変化させることにより表すことを特徴とする付記６乃至付記８のいずれか１項記載の情報マップ生成装置。
【００６１】
（付記１０）
前記算出部は、前記関連の強さを、さらに、前記第一の医療機関から前記第二の医療機関への紹介率、該第一の医療機関から該第二の医療機関への疾病毎の紹介患者数、該第一の医療機関から該第二の医療機関への検査機器毎の予約数の少なくとも一つに基づき、算出することを特徴とする付記６乃至付記９のいずれか一項に記載の情報マップ生成装置。
【００６２】
（付記１１）
第一の医療機関及び第二の医療機関を含む複数の医療機関を表示する情報マップを生成する方法であって、
前記第一の医療機関から前記第二の医療機関への医師の派遣数に基づいて、前記医療機関同士の関連の強さを算出し、
算出した前記関連の強さに応じた表示属性を持った関係線を介して、前記医療機関同士を接続するように前記情報マップに表示する
処理をコンピュータが実行する情報マップ生成方法。
【００６３】
（付記１２）
対象地域に含まれる医療機関同士の関連の強さを算出し、
前記対象地域の前記情報マップを生成する
処理を前記コンピュータが実行する付記１１記載の情報マップ生成方法。
【００６４】
（付記１３）
疾病毎の前記関連の強さを算出し、
前記疾病毎に、前記情報マップを生成する
処理を前記コンピュータが実行する付記１１又は付記１２記載の情報マップ生成方法。
【００６５】
（付記１４）
前記関連の強さを、前記関係線の幅、色、濃淡、及び種類の少なくとも１つを変化させることにより表すことを特徴とする付記１１乃至付記１３のいずれか１項記載の情報マップ生成方法。
【００６６】
（付記１５）
前記関連の強さは、さらに、前記第一の医療機関から前記第二の医療機関への紹介率、該第一の医療機関から該第二の医療機関への疾病毎の紹介患者数、該第一の医療機関から該第二の医療機関への検査機器毎の予約数の少なくとも一つに基づき、算出されることを特徴とする付記１１乃至付記１４のいずれか一項に記載の情報マップ生成方法。
【符号の説明】
【００６７】
１０ 医療機関連携マップ生成システム
２０ 医療機関端末
３０ 医療機関連携マップ生成装置
３１ 取得部
３２ 算出部
３３ 生成部
３５ 連携情報データベース
３６ 医療機関情報データベース
４０ ユーザ端末
５０ コンピュータ
５６ 記憶部
【図１】
2018037113.tif 000003
【図２】
2018037113.tif 000004
【図３】
2018037113.tif 000005
【図４】
2018037113.tif 000006
【図５】
2018037113.tif 000007
【図６】
2018037113.tif 000008
【図７】
2018037113.tif 000009
【図８】
2018037113.tif 000010
【図９】
2018037113.tif 000011
【図１０】
2018037113.tif 000012
【図１１】
2018037113.tif 000013
【図１２】
2018037113.tif 000014